(57)【特許請求の範囲】
【請求項１】
記録媒体の単位領域に対し、第１のドットデータに従って行われる画像の光沢性を制御するための画質向上液の記録と色ドットデータに従う有色インクの記録を、前記画質向上液および前記有色インクを吐出することが可能な記録ヘッドによる同じ記録走査によって行う第１の記録と、記録媒体の単位領域に対し、前記記録ヘッドの先行する記録走査によって前記色ドットデータに従う前記有色インクの記録を終えた後に、前記記録ヘッドの後続する記録走査によって第２のドットデータに従う前記画質向上液をさらに記録する第２の記録と、を行うことにより、記録物を生成するための画像処理装置であって、
画像の色を表現するためのＲＧＢで構成される多値の画像データを、前記画像データの入力信号値に対して前記有色インクに対応する多値の色データの出力信号値と前記第１の記録に利用される前記画質向上液に対応する第１の多値データの出力信号値と前記第２の記録に利用される前記画質向上液に対応する第２の多値データの出力信号値との対応関係を示す３次元のルックアップテーブルを用いることにより、前記画像データにおける各画素の多値の入力信号値に従って、画素毎の前記有色インクに対応する出力信号値を持つ前記多値の色データと、前記画質向上液に対応する出力信号値を持つ前記第１の多値データと前記第２の多値データに変換する色変換手段と、
前記多値の色データを量子化して記録媒体の各画素に対応する領域の前記有色インクのドットの記録または非記録を示す色量子化データを生成し、前記第１の多値データを量子化して記録媒体の各画素に対応する領域の前記画質向上液のドットの記録または非記録を示す第１の量子化データを生成し、前記第２の多値データを量子化して記録媒体の各画素に対応する領域の前記画質向上液のドットの記録または非記録を示す第２の量子化データを生成する量子化手段と、
前記色量子化データが前記色ドットデータの生成のために利用され、前記第１の量子化データが前記第１のドットデータの生成のために利用され、前記第２の量子化データが前記第２のドットデータの生成のために利用されるように、画素毎の、前記色量子化データ、前記第１の量子化データ、および前記第２の量子化データを、それぞれ出力する出力手段と、
を備え、
前記３次元のルックアップテーブルは、ホワイトからブラックへと向かうラインにおいて、前記多値の色データの出力信号値が中濃度よりも低い領域の少なくとも一部では前記第１の多値データの出力信号値が前記第２の多値データの出力信号値よりも高くなり、前記多値の色データの出力信号値が前記中濃度よりも高い領域の少なくとも一部では前記第１の多値データの出力信号値が前記第２の多値データの出力信号値よりも低くなるように前記対応関係を示すことを特徴とする画像処理装置。
【請求項２】
前記色変換手段は、前記多値の画像データが黒を表す場合は、前記第１の多値データの信号値を０に設定し、前記第２の多値データの信号値を０より大きい値に設定することを特徴とする請求項１に記載の画像処理装置。
【請求項３】
前記記録ヘッドは、前記有色インクを吐出する複数のノズルが配列して成るノズル列と、前記画質向上液を吐出する複数のノズルが配列して成るノズル列を、前記配列の方向とは交差する方向に並列して構成され、
前記記録走査は、前記記録ヘッドを前記記録媒体に対して前記配列の方向とは交差する方向に移動することによって行われ、
前記記録物は、前記記録走査と、搬送手段によって前記記録媒体を前記記録走査とは交差する方向に搬送する搬送動作と、を交互に繰り返すことにより生成され、
制御手段が、前記第１の記録においては、前記色ドットデータおよび前記第１のドットデータに従った記録が前記記録媒体の単位領域に対する前記記録ヘッドの同じ記録走査で行われ、且つ、前記第２の記録においては、前記記録ヘッドの先行する記録走査によって前記色ドットデータに従う記録が行われた単位領域に、前記記録ヘッドの後続する記録走査によって前記第２のドットデータに従った記録が行われるように、前記有色インクおよび前記画質向上液を、前記単位領域に記録する記録走査を制御することを特徴とする請求項１または２に記載の画像処理装置。
【請求項４】
前記制御手段は、前記第１の記録においては、前記色ドットデータおよび前記第１のドットデータに従った記録が前記記録媒体の単位領域に対する前記記録ヘッドの同じ記録走査で行われ、且つ、前記第２の記録においては、前記第１の記録が行われた後の前記単位領域に、前記記録ヘッドの後続する記録走査によって前記第２のドットデータに従った記録が行われるように、前記有色インクおよび前記画質向上液を前記単位領域に記録するタイミングを制御することを特徴とする請求項３に記載の画像処理装置。
【請求項５】
前記制御手段は、前記記録走査でドットの記録を許容する小領域とドットの記録を許容しない小領域を前記複数のノズルのそれぞれについて定めたマスクパターンを用いることにより、前記有色インクおよび前記画質向上液を前記記録媒体に記録する前記記録ヘッドによる記録走査を制御することを特徴とする請求項３または４に記載の画像処理装置。
【請求項６】
前記制御手段は、前記単位領域において、前記色ドットデータおよび前記第１のドットデータに従った前記第１の記録が複数回の同じ記録走査で行われ、且つ前記複数回よりも少ない回数の記録走査で前記第２のドットデータに従った前記第２の記録が行われるように、前記有色インクおよび前記画質向上液を前記記録媒体に記録する前記記録ヘッドによる記録走査を制御することを特徴とする請求項３ないし５のいずれか１項に記載の画像処理装置。
【請求項７】
前記画質向上液を吐出するノズル列の使用域は前記有色インクを吐出するノズル列の使用域よりも前記配列の方向に長いことを特徴とする請求項３ないし６のいずれか１項に記載の画像処理装置。
【請求項８】
前記色変換手段は、前記多値の値に従って変換される前記多値の色データ、前記第１の多値データおよび前記第２の多値データが、前記記録媒体の種類に応じて異なるように用意されている前記３次元のルックアップテーブルを用いることを特徴とする請求項１ないし７のいずれか１項に記載の画像処理装置。
【請求項９】
第１のモードと前記第１のモードよりも記録速度が速い第２のモードを設定する手段を更に備え、
前記色変換手段は、前記第１のモードが設定された場合に、前記多値の画像データを、前記多値の色データ、前記第１の多値データおよび前記第２の多値データに変換し、前記第２のモードが設定された場合には、前記多値の画像データを前記多値の色データと前記第１の多値データに変換し、前記第２の多値データには変換しないことを特徴とする請求項１ないし８のいずれか１項に記載の画像処理装置。
【請求項１０】
前記画質向上液は色材を含有しない無色透明な液体であることを特徴とする請求項１ないし９のいずれか１項に記載の画像処理装置。
【請求項１１】
前記画質向上液は色材を含有する有色インクであることを特徴とする請求項１ないし９のいずれか１項に記載の画像処理装置。
【請求項１２】
前記有色インクは色材として顔料を含有し前記画質向上液は記録面の光沢性を向上させる液体であることを特徴とする請求項１ないし１１のいずれか１項に記載の画像処理装置。
【請求項１３】
前記出力手段より出力された前記第１の量子化データ、前記第２の量子化データ、および前記色量子化データは、ドット配置決定手段に入力され、
該ドット配置決定手段は、前記第１の量子化データ、前記第２の量子化データ、および前記色量子化データそれぞれの値に基づいて、前記画素に相当する領域内における１以上のドットの配置を決定することにより、前記色ドットデータ、前記第１のドットデータおよび前記第２のドットデータを生成することを特徴とする請求項１ないし１２のいずれか１項に記載の画像処理装置。
【請求項１４】
前記ドット配置決定手段は、前記画素に相当する領域をさらに複数個に分割して得られる小領域それぞれについてのドットの記録または非記録を定めるドット配置パターンを、前記第１の量子化データおよび前記第２の量子化データのそれぞれの値に基づいて対応づけることにより、前記色ドットデータ、前記第１のドットデータおよび前記第２のドットデータを生成することを特徴とする請求項１３に記載の画像処理装置。
【請求項１５】
前記制御手段、前記記録ヘッドおよび前記搬送手段をさらに備えることを特徴とする請求項３ないし７のいずれか１項に記載の画像処理装置。
【請求項１６】
前記画素に相当する領域をさらに複数個に分割して得られる小領域それぞれについてのドットの記録または非記録を定めるドット配置パターンを、前記第１の量子化データおよび前記第２の量子化データそれぞれの値に基づいて対応づけることにより、前記色ドットデータ、前記第１のドットデータおよび前記第２のドットデータを生成するための決定手段を更に備えることを特徴とする請求項１５に記載の画像処理装置。
【請求項１７】
記録媒体の単位領域に対し、第１のドットデータに従って行われる画像の光沢性を制御するための画質向上液による記録と色ドットデータに従う有色インクの記録を、前記画質向上液および前記有色インクを吐出することが可能な記録ヘッドによる同じ記録走査によって行う第１の記録と、記録媒体の単位領域に対し、前記記録ヘッドの先行する記録走査によって前記色ドットデータに従う前記有色インクの記録を終えた後に、前記記録ヘッドの後続する記録走査によって第２のドットデータに従う前記画質向上液をさらに記録する第２の記録と、を行うことにより、記録物を生成するための画像処理方法であって、
画像の色を表現するためのＲＧＢで構成される多値の画像データを、前記画像データの入力信号値に対して前記有色インクに対応する多値の色データの出力信号値と前記第１の記録に利用される前記画質向上液に対応する第１の多値データの出力信号値と前記第２の記録に利用される前記画質向上液に対応する第２の多値データの出力信号値との対応関係を示す３次元のルックアップテーブルを用いることにより、前記画像データにおける各画素の多値の入力信号値に従って、画素毎の前記有色インクに対応する出力信号を持つ前記多値の色データと、前記画質向上液に対応する出力信号値を持つ前記第１の多値データと前記第２の多値データに変換する色変換工程と、
前記多値の色データを量子化して記録媒体の各画素に対応する領域の前記有色インクのドットの記録または非記録を示す色量子化データを生成し、前記第１の多値データを量子化して記録媒体の各画素に対応する領域の前記画質向上液のドットの記録または非記録を示す第１の量子化データを生成し、前記第２の多値データを量子化して記録媒体の各画素に対応する領域の前記画質向上液のドットの記録または非記録を示す第２の量子化データを生成する量子化工程と、
前記色量子化データが前記色ドットデータの生成のために利用され、前記第１の量子化データが前記第１のドットデータの生成のために利用され、前記第２の量子化データが前記第２のドットデータの生成のために利用されるように、画素ごとの、前記色量子化データ、前記第１の量子化データ、および前記第２の量子化データを、それぞれ出力する出力工程と
を有し、
前記３次元のルックアップテーブルは、ホワイトからブラックへと向かうラインにおいて、前記多値の色データの出力信号値が中濃度よりも低い領域の少なくとも一部では前記第１の多値データの出力信号値が前記第２の多値データの出力信号値よりも高くなり、前記多値の色データの出力信号値が前記中濃度よりも高い領域の少なくとも一部では前記第１の多値データの出力信号値が前記第２の多値データの出力信号値よりも低くなるように前記対応関係を示すことを特徴とする画像処理方法。
【請求項１８】
前記色変換工程は、前記多値の画像データが黒を表す場合は、前記第１の多値データの信号値を０に設定し、前記第２の多値データの信号値を０より大きい値に設定することを特徴とする請求項１７に記載の画像処理方法。
【請求項１９】
前記記録ヘッドは、前記有色インクを吐出する複数のノズルが配列して成るノズル列と、前記画質向上液を吐出する複数のノズルが配列して成るノズル列を、前記配列の方向とは交差する方向に並列して構成され、
前記記録走査は、前記記録ヘッドを前記記録媒体に対して前記配列の方向とは交差する方向に移動することによって行われ、
前記記録物は、前記記録走査と、搬送工程によって前記記録媒体を前記記録走査とは交差する方向に搬送する搬送動作と、を交互に繰り返すことにより生成され、
制御工程が、前記第１の記録においては、前記色ドットデータおよび前記第１のドットデータに従った記録が前記記録媒体の単位領域に対する前記記録ヘッドの同じ記録走査で行われ、且つ、前記第２の記録においては、前記記録ヘッドの先行する記録走査によって前記色ドットデータに従う記録が行われた単位領域に、前記記録ヘッドの後続する記録走査によって前記第２のドットデータに従った記録が行われるように、前記有色インクおよび前記画質向上液を、前記単位領域に記録する記録走査を制御することを特徴とする請求項１７または１８に記載の画像処理方法。
【請求項２０】
前記制御工程は、前記第１の記録においては、前記色ドットデータおよび前記第１のドットデータに従った記録が前記記録媒体の単位領域に対する前記記録ヘッドの同じ記録走査で行われ、且つ、前記第２の記録においては、前記第１の記録が行われた後の前記単位領域に、前記記録ヘッドの後続する記録走査によって前記第２のドットデータに従った記録が行われるように、前記有色インクおよび前記画質向上液を、前記単位領域に記録するタイミングを制御することを特徴とする請求項１９に記載の画像処理方法。
【請求項２１】
前記制御工程は、前記記録走査でドットの記録を許容する小領域とドットの記録を許容しない小領域を前記複数のノズルのそれぞれについて定めたマスクパターンを用いることにより、前記有色インクおよび前記画質向上液を、前記記録媒体に記録する前記記録ヘッドによる記録走査を制御することを特徴とする請求項１９または２０に記載の画像処理方法。
【請求項２２】
前記制御工程は、前記単位領域において、前記色ドットデータおよび前記第１のドットデータに従った前記第１の記録が複数回の同じ記録走査で行われ、且つ前記複数回よりも少ない回数の記録走査で前記第２のドットデータに従った前記第２の記録が行われるように、前記有色インクおよび前記画質向上液を、前記記録媒体に記録する前記記録ヘッドによる記録走査を制御することを特徴とする請求項１９または２０に記載の画像処理方法。
【請求項２３】
前記画質向上液を吐出するノズル列の使用域は前記有色インクを吐出するノズル列の使用域よりも前記配列の方向に長いことを特徴とする請求項１９ないし２２のいずれか１項に記載の画像処理方法。
【請求項２４】
前記色変換工程は、前記多値の値に従って変換される前記多値の色データ、前記第１の多値データおよび前記第２の多値データが、前記記録媒体の種類に応じて異なるように用意されている前記３次元のルックアップテーブルを用いることを特徴とする請求項１７ないし２３のいずれか１項に記載の画像処理方法。
【請求項２５】
第１のモードと前記第１のモードよりも記録速度が速い第２のモードを設定する工程を更に有し、
前記色変換工程は、前記第１のモードが設定された場合に、前記多値の画像データを、前記多値の色データ、前記第１の多値データおよび前記第２の多値データに変換し、前記第２のモードが設定された場合には、前記多値の画像データを、前記多値の色データと前記第１の多値データに変換し、前記第２の多値データには変換しないことを特徴とする請求項１７ないし２４のいずれか１項に記載の画像処理方法。
【請求項２６】
前記画質向上液は色材を含有しない無色透明な液体であることを特徴とする請求項１７ないし２５のいずれか１項に記載の画像処理方法。
【請求項２７】
前記画質向上液は色材を含有する有色インクであることを特徴とする請求項１７ないし２５のいずれか１項に記載の画像処理方法。
【請求項２８】
前記有色インクは色材として顔料を含有し前記画質向上液は記録面の光沢性を向上させる液体であることを特徴とする請求項１７ないし２７のいずれか１項に記載の画像処理方法。
【請求項２９】
前記出力工程により出力された前記第１の量子化データ、前記第２の量子化データ、および前記色量子化データは、ドット配置決定工程に入力され、該ドット配置決定工程は、前記第１の量子化データ、前記第２の量子化データ、および前記色量子化データそれぞれの値に基づいて、前記画素に相当する領域内における１以上のドットの配置を決定することにより、前記色ドットデータ、前記第１のドットデータおよび前記第２のドットデータを生成することを特徴とする請求項１７ないし２８のいずれか１項に記載の画像処理方法。
【請求項３０】
前記ドット配置決定工程は、前記画素に相当する領域をさらに複数個に分割して得られる小領域それぞれについてのドットの記録または非記録を定めるドット配置パターンを、前記第１の量子化データおよび前記第２の量子化データのそれぞれの値に基づいて対応づけることにより、前記色ドットデータ、前記第１のドットデータおよび前記第２のドットデータを生成することを特徴とする請求項２９に記載の画像処理方法。
【発明の詳細な説明】
【技術分野】
【０００１】
本発明は、有色インクと画質向上液を用いて記録媒体に画像を記録するための画像処理装置および画像処理方法に関する。
【背景技術】
【０００２】
従来、光沢系の記録媒体に対して、色再現性の高い高品位な画像を形成可能とする染料インクを用いたインクジェット記録装置が広く知られている。これに対して、近年、染料インクよりも画像堅牢性が高い顔料インクを用いたインクジェット記録装置のニーズも高まっている。しかし顔料インクは、色材が記録媒体の内部まで浸透しにくい傾向があるため、特に光沢のある記録媒体に記録した場合には、画像の記録部と非記録部とで光沢の程度が異なり、光沢むらが起こりやすいという問題があった。
【０００３】
このような光沢むらの問題に対しては、例えば記録面に透明フィルムをラミネートする方法が考案されている。また、有色インクに二酸化チタンなど添加剤を入れる方法も提案されている。
【０００４】
一方、特許文献１には、顔料インクに加え、無色透明または白色の画質向上液を用いて画像を形成する方法が開示されている。特許文献１によれば、顔料インクの記録または非記録を画素単位で検出し、非記録の画素に対して画質向上液を記録することで、顔料インクで記録された画素と画質向上液で記録された画素とで光沢度を合わせ、光沢むらを低減する方法が開示されている。
【先行技術文献】
【特許文献】
【０００５】
【特許文献１】特開２００２−３０７７５５号公報
【発明の概要】
【発明が解決しようとする課題】
【０００６】
しかしながら、透明フィルムをラミネートする方法においては、ラミネート機構を備えるために装置が大型化し、ラミネート作業のために時間や手間がかかる。また、有色インクに二酸化チタンなどの添加剤を入れる方法では、記録ヘッドにおける吐出安定性が課題となる。
【０００７】
特許文献１のように、有色インクが記録されない領域に画質向上液を付与する方法では、一部の階調では光沢感をほぼ均一に出来るが、階調によっては十分に光沢むらを解消できない場合がある。これは、人が感知する光沢むらが、記録物の光沢度のみでなく写像性にも影響を受け、例えば有色インクを殆ど付与しないハイライト領域と有色インクを多量に付与する暗部領域では写像性に差が現れるからである。すなわち、光沢性と写像性の両方がほぼ一様でないと、光沢むらは感知される恐れがある。
【０００８】
本発明は、上記課題を解決するためになされたものである。よってその目的とするところは、装置の大型化を招くことなく、写像性と光沢度のいずれにおいても高い均一性を有する画像を、その階調や色域に拘わりなく記録可能なインクジェット記録装置を提供することである。
【課題を解決するための手段】
【０００９】
そのために本発明は、記録媒体の単位領域に対し、第１のドットデータに従って行われる画像の光沢性を制御するための画質向上液の記録と色ドットデータに従う有色インクの記録を、前記画質向上液および前記有色インクを吐出することが可能な記録ヘッドによる同じ記録走査によって行う第１の記録と、記録媒体の単位領域に対し、前記記録ヘッドの先行する記録走査によって前記色ドットデータに従う前記有色インクの記録を終えた後に、前記記録ヘッドの後続する記録走査によって第２のドットデータに従う前記画質向上液をさらに記録する第２の記録と、を行うことにより、記録物を生成するための画像処理装置であって、画像の色を表現するためのＲＧＢで構成される多値の画像データを、前記画像データの入力信号値に対して前記有色インクに対応する多値の色データの出力信号値と前記第１の記録に利用される前記画質向上液に対応する第１の多値データの出力信号値と前記第２の記録に利用される前記画質向上液に対応する第２の多値データの出力信号値との対応関係を示す３次元のルックアップテーブルを用いることにより、前記画像データにおける各画素の多値の入力信号値に従って、画素毎の前記有色インクに対応する出力信号値を持つ前記多値の色データと、前記画質向上液に対応する出力信号値を持つ前記第１の多値データと前記第２の多値データに変換する色変換手段と、前記多値の色データを量子化して記録媒体の各画素に対応する領域の前記有色インクのドットの記録または非記録を示す色量子化データを生成し、前記第１の多値データを量子化して記録媒体の各画素に対応する領域の前記画質向上液のドットの記録または非記録を示す第１の量子化データを生成し、前記第２の多値データを量子化して記録媒体の各画素に対応する領域の前記画質向上液のドットの記録または非記録を示す第２の量子化データを生成する量子化手段と、前記色量子化データが前記色ドットデータの生成のために利用され、前記第１の量子化データが前記第１のドットデータの生成のために利用され、前記第２の量子化データが前記第２のドットデータの生成のために利用されるように、画素毎の、前記色量子化データ、前記第１の量子化データ、および前記第２の量子化データを、それぞれ出力する出力手段と、を備え、前記３次元のルックアップテーブルは、ホワイトからブラックへと向かうラインにおいて、前記多値の色データの出力信号値が中濃度よりも低い領域の少なくとも一部では前記第１の多値データの出力信号値が前記第２の多値データの出力信号値よりも高くなり、前記多値の色データの出力信号値が前記中濃度よりも高い領域の少なくとも一部では前記第１の多値データの出力信号値が前記第２の多値データの出力信号値よりも低くなるように前記対応関係を示すことを特徴とする。
【００１０】
また、記録媒体の単位領域に対し、第１のドットデータに従って行われる画像の光沢性を制御するための画質向上液による記録と色ドットデータに従う有色インクの記録を、前記画質向上液および前記有色インクを吐出することが可能な記録ヘッドによる同じ記録走査によって行う第１の記録と、記録媒体の単位領域に対し、前記記録ヘッドの先行する記録走査によって前記色ドットデータに従う前記有色インクの記録を終えた後に、前記記録ヘッドの後続する記録走査によって第２のドットデータに従う前記画質向上液をさらに記録する第２の記録と、を行うことにより、記録物を生成するための画像処理方法であって、画像の色を表現するためのＲＧＢで構成される多値の画像データを、前記画像データの入力信号値に対して前記有色インクに対応する多値の色データの出力信号値と前記第１の記録に利用される前記画質向上液に対応する第１の多値データの出力信号値と前記第２の記録に利用される前記画質向上液に対応する第２の多値データの出力信号値との対応関係を示す３次元のルックアップテーブルを用いることにより、前記画像データにおける各画素の多値の入力信号値に従って、画素毎の前記有色インクに対応する出力信号を持つ前記多値の色データと、前記画質向上液に対応する出力信号値を持つ前記第１の多値データと前記第２の多値データに変換する色変換工程と、前記多値の色データを量子化して記録媒体の各画素に対応する領域の前記有色インクのドットの記録または非記録を示す色量子化データを生成し、前記第１の多値データを量子化して記録媒体の各画素に対応する領域の前記画質向上液のドットの記録または非記録を示す第１の量子化データを生成し、前記第２の多値データを量子化して記録媒体の各画素に対応する領域の前記画質向上液のドットの記録または非記録を示す第２の量子化データを生成する量子化工程と、前記色量子化データが前記色ドットデータの生成のために利用され、前記第１の量子化データが前記第１のドットデータの生成のために利用され、前記第２の量子化データが前記第２のドットデータの生成のために利用されるように、画素ごとの、前記色量子化データ、前記第１の量子化データ、および前記第２の量子化データを、それぞれ出力する出力工程とを有し、前記３次元のルックアップテーブルは、ホワイトからブラックへと向かうラインにおいて、前記多値の色データの出力信号値が中濃度よりも低い領域の少なくとも一部では前記第１の多値データの出力信号値が前記第２の多値データの出力信号値よりも高くなり、前記多値の色データの出力信号値が前記中濃度よりも高い領域の少なくとも一部では前記第１の多値データの出力信号値が前記第２の多値データの出力信号値よりも低くなるように前記対応関係を示すことを特徴とする。
【発明の効果】
【００１１】
本発明によれば、顔料インクを用いたインクジェット記録装置において、装置の大型化をすること無く、光沢むらを十分に抑制し、高品位な画像を出力することが可能となる。
【図面の簡単な説明】
【００１２】
【図１】（ａ）および（ｂ）は、インクジェット記録装置の外観図および内部構造図である。
【図２】記録ヘッドにおけるノズル列の配列状態を示す図である。
【図３】インクジェット記録装置の制御構成を示すブロック図である。
【図４】６種類の有色インクを調整するための成分分布を示した図である。
【図５】（ａ）〜（ｄ）は、光沢度および写像性の測定方法を説明する図である。
【図６】（ａ）〜（ｆ）は、記録媒体に顔料インクや画質向上液を記録した状態図である。
【図７】画像処理の工程を説明するためのブロック図である。
【図８】後段処理部で実行する信号値変換の例を説明する図である。
【図９】ドット配置パターンの一例を示す図である。
【図１０】（ａ）および（ｂ）は一般的なマルチパス記録方法を説明するための図である。
【図１１】（ａ）および（ｂ）は、第１実施形態におけるマスクパターンを示した図である。
【図１２】（ａ）および（ｂ）は、マスクパターンを用いた場合の記録状態を示す図である。
【図１３】第１実施形態において実際に記録に使用されるノズル領域を説明する図である。
【図１４】（ａ）および（ｂ）は、第１実施形態の光沢度および写像性を説明する図である。
【図１５】本発明の効果を、記録状態に対応させながら示した図である。
【図１６】（ａ）および（ｂ）は、第２実施形態におけるマスクパターンを示した図である。
【図１７】第２実施形態において実際に記録に使用されるノズル領域を説明する図である。
【図１８】（ａ）および（ｂ）は、第３実施形態における後段処理部での信号値変換と光沢度の変位を示す図である。
【図１９】（ａ）および（ｂ）は、第４実施形態における後段処理部での信号値変換と光沢度の変位を示す図である。
【図２０】（ａ）および（ｂ）は、速度重視モードのマスクパターンとノズル使用領域を示す図である。
【図２１】第５実施形態のノズル列配列構成およびノズル使用領域を示す図である。
【図２２】第６実施形態の後段処理部で実行する信号値変換の例を説明する図である。
【発明を実施するための形態】
【００１３】
（第１の実施形態）
以下、本発明の実施の形態について詳細に説明する。
【００１４】
図１（ａ）および（ｂ）は、本実施形態で適用するシリアル型のインクジェット記録装置２３の外観図および内部構造図である。図１（ａ）を参照するに、記録コマンドが入力されると、給紙トレイ１２に積載された複数の記録媒体Ｐは１枚ずつ装置本体内に給紙され、記録が行われた後に排紙トレイ２２に排出される。
【００１５】
図１（ｂ）を参照するに、キャリッジ５に搭載された記録ヘッド１は、ガイドレール４に沿ってＸ方向に往復移動しながらノズルからインクを吐出し、記録媒体Ｐ上に画像を形成する。記録ヘッド１は、それぞれ異なった色のインクと画質向上液に対応した複数のノズル列を有している。本実施形態において、これらノズル列は、６色の有色顔料インク、シアン（Ｃ）、マゼンタ（Ｍ）、イエロー（Ｙ）、ブラック（Ｋ）、ライトシアン（ＬＣ）、ライトマゼンタ（ＬＭ）と、無色透明な画質向上液（ＣＬ）を吐出するためのノズル列である。
【００１６】
図２は、記録ヘッド１における上記ノズル列の配列状態を示す図である。６色の有色インクを吐出する６つのノズル列と画質向上液を吐出する１つのノズル列は、Ｙ方向に等しい幅を有し、これと交差するＸ方向に並列配置されている。夫々のノズル列には、インクを滴として吐出するためのノズルが、１２００ｄｐｉのピッチでＹ方向に７６８個ずつ配列している。
【００１７】
図２に戻る。キャリッジ５は、タイミングベルト１７を介して伝えられるキャリッジモータ１１の駆動力により、ガイド軸３とガイドレール４に沿ってＸ方向に往復移動する。このとき、キャリッジ５に設けられたエンコーダセンサ２１は、Ｘ方向に沿って備えられたリニアスケール１９を読み取り、装置内におけるキャリッジ５の位置や速度を検出する。キャリッジ５が移動する際、記録ヘッド１は、エンコーダセンサ２１の検出値と入力された記録データに従ってノズル列に配列するノズル夫々からインクを吐出する。これにより、記録ヘッド１による１回の記録走査が行われる。
【００１８】
上記記録走査によって記録が行われる領域の記録媒体Ｐは、その上流部分が搬送ローラ１６とピンチローラ１５に挟持されるとともに、裏側がプラテン２によって支持され、記録ヘッド１に対する平滑性が維持されている。また、上記１回分の記録走査が終了するたびに搬送ローラ１６とピンチローラ１５が回転し、記録ヘッド１の記録幅に応じた分だけ記録媒体ＰはＹ方向に搬送される。このような搬送動作は、搬送モータ１３の駆動力がリニアホイール２０を介して搬送ローラ１６を回転することによってなされる。
【００１９】
以上のような記録走査と搬送動作を交互に繰り返すことにより、記録媒体Ｐに画像が記録される。
【００２０】
ホームポジションには、記録ヘッド１に補充するインクを貯留しておくためのインクタンク７や、記録ヘッド１のメンテナンス処理を行うためのヘッドキャップ１０および回復ユニット１４が備えられている。インク供給が必要となったとき、記録ヘッド１はホームポジションに移動し、インクタンク７に貯留されているインクが供給チューブ９を介して記録ヘッド１に供給される。
【００２１】
図３は、本実施形態におけるインクジェット記録装置の制御構成を示すブロック図である。コントローラ１００は主制御部であり、例えばマイクロコンピュータ形態のＡＳＩＣ１０１、ＲＯＭ１０３、ＲＡＭ１０５を有する。ＲＯＭ１０３は、ＡＳＩＣ１０１が実行する各種プログラムのほか、後述するドット配置パターン、マスクパターン、その他の固定データを格納している。この際、ＲＡＭ１０５は、画像データを展開する領域や作業用の領域として使用される。本実施形態において、ＡＳＩＣ１０１は、ホスト装置１１０から受信した画像データ対し、ＲＯＭ１０３から読み出したプログラムに従って所定の画像処理を施し、記録ヘッド１など各種機構を制御しながら処理後の記録データに従って記録媒体Ｐへ画像を記録する。
【００２２】
ホスト装置１１０は、後述する画像データの供給源（プリントに係る画像等のデータの作成、処理等を行うコンピュータとする他、画像読み取り用のリーダ部等の形態であってもよい）である。画像データ、その他のコマンド、ステータス信号等は、インタフェース（Ｉ／Ｆ）１１２を介してコントローラ１００と送受信される。
【００２３】
ヘッドドライバ１４０は、ＡＳＩＣ１００の制御の下、画像処理後の記録データに応じて記録ヘッド１を駆動するドライバである。モータドライバ１５０はキャリッジモータ１１を駆動するドライバであり、モータドライバ１６０は搬送モータ１３を駆動するドライバである。
【００２４】
（インク構成）
以下、本実施形態のインクジェット記録装置で使用する有色インクと無色透明で光沢制御に用いる画質向上液について説明する。まず、有色インクを構成する各成分について説明する。
【００２５】
（水性媒体）
本発明で使用するインクには、水及び水溶性有機溶剤を含有する水性媒体を用いることが好ましい。インク中の水溶性有機溶剤の含有量（質量％）は、インク全質量を基準として３．０質量％以上５０．０質量％以下とすることが好ましい。又、インク中の水の含有量（質量％）は、インク全質量を基準として５０．０質量％以上９５．０質量％以下とすることが好ましい。
【００２６】
水溶性有機溶剤は、具体的には、例えば、以下のものを用いることができる。メタノール、エタノール、プロパノール、プロパンジオール、ブタノール、ブタンジオール、ペンタノール、ペンタンジオール、ヘキサノール、ヘキサンジオール、等の炭素数１〜６のアルキルアルコール類。ジメチルホルムアミド、ジメチルアセトアミド等のアミド類。アセトン、ジアセトンアルコール等のケトン又はケトアルコール類。テトラヒドロフラン、ジオキサン等のエーテル類。ポリエチレングリコール、ポリプロピレングリコール等の平均分子量２００、３００、４００、６００、及び１，０００等のポリアルキレングリコール類。エチレングリコール、プロピレングリコール、ブチレングリコール、トリエチレングリコール、１，２，６−ヘキサントリオール、チオジグリコール、ヘキシレングリコール、ジエチレングリコール等の炭素数２〜６のアルキレン基を持つアルキレングリコール類。ポリエチレングリコールモノメチルエーテルアセテート等の低級アルキルエーテルアセテート。グリセリン。エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類。Ｎ−メチル−２−ピロリドン、２−ピロリドン、１，３−ジメチル−２−イミダゾリジノン等。又、水は、脱イオン水（イオン交換水）を用いることが好ましい。
【００２７】
（顔料）
顔料は、カーボンブラックや有機顔料を用いることが好ましい。インク中の顔料の含有量（質量％）は、インク全質量を基準として０．１質量％以上１５．０質量％以下とすることが好ましい。
【００２８】
ブラックインクは、ファーネスブラック、ランプブラック、アセチレンブラック、チャンネルブラック等のカーボンブラックを顔料として用いることが好ましい。具体的には、例えば、以下の市販品等を用いることができる。レイヴァン：７０００、５７５０、５２５０、５０００ＵＬＴＲＡ、３５００、２０００、１５００、１２５０、１２００、１１９０ＵＬＴＲＡ−ＩＩ、１１７０、１２５５（以上、コロンビア製）。ブラックパールズＬ、リーガル：３３０Ｒ、４００Ｒ、６６０Ｒ、モウグルＬ、モナク：７００、８００、８８０、９００、１０００、１１００、１３００、１４００、２０００、ヴァルカンＸＣ−７２Ｒ（以上、キャボット製）。カラーブラック：ＦＷ１、ＦＷ２、ＦＷ２Ｖ、ＦＷ１８、ＦＷ２００、Ｓ１５０、Ｓ１６０、Ｓ１７０、プリンテックス：３５、Ｕ、Ｖ、１４０Ｕ、１４０Ｖ、スペシャルブラック：６、５、４Ａ、４（以上、デグッサ製）。Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学製）。又、本発明のために新たに調製したカーボンブラックを用いることもできる。勿論、本発明はこれらに限定されるものではなく、従来のカーボンブラックを何れも用いることができる。又、カーボンブラックに限定されず、マグネタイト、フェライト等の磁性体微粒子や、チタンブラック等を顔料として用いてもよい。
【００２９】
有機顔料は、具体的には、例えば、以下のものを用いることができる。トルイジンレッド、トルイジンマルーン、ハンザイエロー、ベンジジンイエロー、ピラゾロンレッド等の水不溶性アゾ顔料。リトールレッド、ヘリオボルドー、ピグメントスカーレット、パーマネントレッド２Ｂ等の水溶性アゾ顔料。アリザリン、インダントロン、チオインジゴマルーン等の建染染料からの誘導体。フタロシアニンブルー、フタロシアニングリーン等のフタロシアニン系顔料。キナクリドンレッド、キナクリドンマゼンタ等のキナクリドン系顔料。ペリレンレッド、ペリレンスカーレット等のペリレン系顔料。イソインドリノンイエロー、イソインドリノンオレンジ等のイソインドリノン系顔料。ベンズイミダゾロンイエロー、ベンズイミダゾロンオレンジ、ベンズイミダゾロンレッド等のイミダゾロン系顔料。ピランスロンレッド、ピランスロンオレンジ等のピランスロン系顔料。インジゴ系顔料、縮合アゾ系顔料、チオインジゴ系顔料、ジケトピロロピロール系顔料。フラバンスロンイエロー、アシルアミドイエロー、キノフタロンイエロー、ニッケルアゾイエロー、銅アゾメチンイエロー、ペリノンオレンジ、アンスロンオレンジ、ジアンスラキノニルレッド、ジオキサジンバイオレット等。勿論、本発明はこれらに限定されるものではない。
【００３０】
又、有機顔料をカラーインデックス（Ｃ．Ｉ．）ナンバーで示すと、例えば、以下のものを用いることができる。Ｃ．Ｉ．ピグメントイエロー：１２、１３、１４、１７、２０、２４、７４、８３、８６、９３、９７、１０９、１１０、１１７、１２０、１２５、１２８、１３７、１３８、１４７、１４８、１５０、１５１、１５３、１５４、１６６、１６８、１８０、１８５等。Ｃ．Ｉ．ピグメントオレンジ：１６、３６、４３、５１、５５、５９、６１、７１等。Ｃ．Ｉ．ピグメントレッド：９、４８、４９、５２、５３、５７、９７、１２２、１２３、１４９、１６８、１７５、１７６、１７７、１８０、１９２等。同、２１５、２１６、２１７、２２０、２２３、２２４、２２６、２２７、２２８、２３８、２４０、２５４、２５５、２７２等。Ｃ．Ｉ．ピグメントバイオレット：１９、２３、２９、３０、３７、４０、５０等。Ｃ．Ｉ．ピグメントブルー：１５、１５：１、１５：３、１５：４、１５：６、２２、６０、６４等。Ｃ．Ｉ．ピグメントグリーン：７、３６等。Ｃ．Ｉ．ピグメントブラウン：２３、２５、２６等。勿論、本発明はこれらに限定されるものではない。
【００３１】
（分散剤）
上記したような顔料を水性媒体に分散するための分散剤は、水溶性を有する樹脂であれば何れのものも用いることができる。中でも特に、分散剤の重量平均分子量が１，０００以上３０，０００以下、更には３，０００以上１５，０００以下のものが好ましい。インク中の分散剤の含有量（質量％）は、インク全質量を基準として０．１質量％以上５．０質量％以下とすることが好ましい。
分散剤は、具体的には、例えば、以下のものを用いることができる。スチレン、ビニルナフタレン、α，β−エチレン性不飽和カルボン酸の脂肪族アルコールエステル、アクリル酸、マレイン酸、イタコン酸、フマール酸、酢酸ビニル、ビニルピロリドン、アクリルアミド、又はこれらの誘導体等を単量体とするポリマー。尚、ポリマーを構成する単量体のうち１つ以上は親水性単量体であることが好ましく、ブロック共重合体、ランダム共重合体、グラフト共重合体、又はこれらの塩等を用いても良い。又は、ロジン、シェラック、デンプン等の天然樹脂を用いることもできる。これらの樹脂は、塩基を溶解した水溶液に可溶である、即ち、アルカリ可溶型であることが好ましい。
【００３２】
（界面活性剤）
インクセットを構成するインクの表面張力を調整するためには、アニオン性界面活性剤、ノニオン性界面活性剤、及び両性界面活性剤等の界面活性剤を用いることが好ましい。具体的には、ポリオキシエチレンアルキルエーテル、ポリオキシエチレンアルキルフェノール類、アセチレングリコール化合物、アセチレングリコールエチレンオキサイド付加物等を用いることができる。
【００３３】
（その他の成分）
インクセットを構成するインクは、前記した成分の他に、保湿性維持のために、尿素、尿素誘導体、トリメチロールプロパン、及びトリメチロールエタン等の保湿性固形分を含有してもよい。インク中の保湿性固形分の含有量（質量％）は、インク全質量を基準として０．１質量％以上２０．０質量％以下、更には３．０質量％以上１０．０質量％以下とすることが好ましい。又、インクセットを構成するインクは、前記した成分以外にも必要に応じて、ｐＨ調整剤、防錆剤、防腐剤、防黴剤、酸化防止剤、還元防止剤、及び蒸発促進剤等の種々の添加剤を含有してもよい。
【００３４】
次に、本実施形態で用いる有色インクの調製方法をより具体的に説明する。本発明はその要旨を超えない限り、下記実施例によって限定されるものではない。尚、文中「部」、及び「％」とあるのは、特に断りのない限り質量基準である。
【００３５】
（顔料分散液１〜４の調製）
以下に示す手順により、顔料分散液１〜４を調製した。尚、以下の記載において、分散剤とは、酸価２００、重量平均分子量１０，０００のスチレン−アクリル酸共重合体を、１０質量％水酸化ナトリウム水溶液で中和することにより得られた水溶液のことである。
【００３６】
＜Ｃ．Ｉ．ピグメントレッド１２２を含む顔料分散液１の調製＞
顔料（Ｃ．Ｉ．ピグメントレッド１２２）１０部、分散剤２０部、イオン交換水７０部を混合し、バッチ式縦型サンドミルを用いて３時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液１を得る。
【００３７】
＜Ｃ．Ｉ．ピグメントブルー１５:３を含む顔料分散液２の調製＞
顔料（Ｃ．Ｉ．ピグメントブルー１５:３）１０部、分散剤２０部、イオン交換水７０部を混合し、バッチ式縦型サンドミルを用いて５時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液２を得る。
【００３８】
＜Ｃ．Ｉ．ピグメントイエロー７４を含む顔料分散液３の調製＞
顔料（Ｃ．Ｉ．ピグメントイエロー７４）１０部、分散剤２０部、イオン交換水７０部を混合し、バッチ式縦型サンドミルを用いて１時間分散する。その後、遠心分離処理によって粗大粒子を除去した。更に、ポアサイズ３．０μｍのセルロースアセテートフィルター（アドバンテック製）にて加圧ろ過し、顔料濃度が１０質量％である顔料分散液３を得る。
【００３９】
＜Ｃ．Ｉ．ピグメントブラック７を含む顔料分散液４の調製＞
カーボンブラック顔料（Ｃ．Ｉ．ピグメントブラック７）１０部、分散剤２０部、イオン交換水７０部を混合し、バッチ式縦型サンドミルを用いて３時間分散する。尚、分散する際の周速は、顔料分散液１を調製する際の２倍とした。その後、遠心分離処理によって粗大粒子を除去する。更に、ポアサイズ３．０μｍのセルロースアセテートフィルター（アドバンテック製）にて加圧ろ過し、顔料濃度が１０質量％である顔料分散液４を得る。
【００４０】
（インクの調製）
図４は、本実施形態で用いる６種類の有色インクを調整するための成分分布を示した図である。調製においては、上記顔料分散液１〜４と図に示した各成分を混合し、十分攪拌した後、ポアサイズ０.８μｍのセルロースアセテートフィルター（アドバンテック製）にて加圧ろ過を行い、インク１〜６を調製する。
【００４１】
次に、本実施形態で用いる光沢を制御するための画質向上液を説明する。本実施形態での画質向上液は、無色透明とする。
【００４２】
（画質向上液の調整）
ラジカル開始剤を用いた溶液重合法により合成したスチレン（Ｓｔ）−アクリル酸（ＡＡ）共重合体Ａ（Ｓｔ／ＡＡ＝７０／３０（質量％）、分子量：１０５００、実測酸価：２０３）を用いて、下記組成の液体組成物Ａを作成する。なお、塩基性物質としては水酸化カリウムを用い、液体組成物のｐＨが８．０となるように添加量は調整する。
・スチレン−アクリル酸共重合体Ａ    ２部
・グリセリン                        ７部
・ジエチレングリコール              ５部
・水                              ８６部
上記調整により得られる画質向上液は、光沢を制御するための液である。同様の効果が得られる限り、画質向上液は前記実施例によって限定されるものではない。
【００４３】
（特徴事項）
以下、上述した記録装置を用い、本実施形態の特徴的な構成について具体的に説明する。なお、本明細書において、視覚的に感知される光沢性の程度を示す基準として、「光沢度」および「写像性」を利用する。ここではまず、光沢度と写像性の評価方法について説明する。
【００４４】
図５（ａ）〜（ｄ）は、光沢度および写像性の測定方法を説明する図である。図５（ａ）を参照するに、２０°鏡面光沢度(以下、光沢度と記載する)では、印刷物表面に対し入射角θ＝２０°で入射した光の反射光を検出する。検出器としては、例えば、ＢＹＫ−Ｇａｒｄｎｅｒ社製のＢ−４６３２（日本名；マイクロ−ヘイズ  プラス）などを採用することが出来る。検出部は図５（ａ）に示すように、正反射光の軸を中心とした開口幅１．８°の範囲での光強度を検出し、その結果、図５（ｄ）のよう正反射角をピークとした強度分布が得られる。このとき、入射光強度に対する正反射光の強度が光沢度となり、その単位は無次元である。このような光沢度および測定方法はＪＩＳ規格のＫ５６００に準拠している。
【００４５】
写像性とは、対象物に映る像の鮮明さを表し、例えば、ＪＩＳ  Ｈ８６８６『アルミニウム及びアルミニウム合金の陽極酸化皮膜の写像性測定方法』やＪＩＳ  Ｋ７１０５『プラスチックの光学的特性試験方法』を用いて測定される。写像性を測定する装置としては、写像性測定器ＩＣＭ−１Ｔ(スガ試験機製)や、写像性測定装置ＧＰ−１Ｓ(オプテック製)が、ＪＩＳ規格に準拠したものとして市販されている。
【００４６】
対象物となる記録媒体の表面の凹凸が少ない場合、図５（ｂ）のように記録媒体の表面で拡散される光の量は少なく、拡散光に比べ正反射光が強くなる。つまり、表面で反射される光が平行になりやすく、比較的鮮明な像が写り、写像性の値は高くなる。一方、図５（ｃ）のように、記録媒体の表面の凹凸が多い場合、反射光は様々な方向へ拡散され、正反射光が弱くなる。つまり、表面で反射される光の進路は様々で、ぼやけた像が写り、写像性の値は低くなる。
【００４７】
以上説明したように、光沢度や写像性は、記録媒体の表面粗さに依存する。ただし、記録物については、その光沢度や写像性が高いほど好ましいというものではなく、観察のしやすい範囲がある。本発明者らが検討したところ、そのような光沢度の範囲は、２０°鏡面光沢度において３０〜６０であると判断した。したがって、本発明では、記録画像によらず、記録物の光沢度を３０〜６０の範囲に収めるような記録制御を行う。より具体的には、使用するインクの種類やその記録密度（階調）に応じて光沢度や写像性は変化するので、画像に応じて画質向上液の記録量や記録タイミングを調整して、画像全体の光沢度を上記範囲に統一するようにする。以下、具体的な制御方法について説明する。
【００４８】
図６（ａ）〜（ｆ）は、記録媒体に顔料インクや画質向上液を記録した状態を、濃度領域ごとに説明する図である。ハイライト部のようにドットの記録密度が低い場合、記録されるドットは図６（ａ）のように疎らで、記録面の光沢性は記録媒体そのものの光沢性に依存する。一般に、白紙部分の光沢度は、顔料インクを記録した領域よりも低い傾向にある。よって、ハイライト部の光沢度はより多くのドットを記録する中濃度領域や高濃度領域の光沢度よりも低く感知されやすい。そこで、本実施形態では、ハイライト部の光沢度を３０〜６０程度まで高めるため、図６（ｄ）のように、顔料インクが記録されない領域の所々に、画質向上液を記録する。
【００４９】
一方、中濃度領域のように、より多くのドットが記録される階調では、記録媒体の表面は図６（ｂ）のように、広がった顔料インクによって略埋め尽くされる。この際、記録面は平滑で、その光沢度は１００を超えるなど、好適な範囲３０〜６０に比べて高くなってしまう。このため、本実施形態では、記録面の平滑度をあえて乱すために、適量の画質向上液を記録する。但し、記録媒体には吸収可能な液体量の上限があるので、既に形成された平滑層の上に上限まで画質向上液を記録しても、高すぎる光沢度を十分に下げることは出来ない。そこで、本実施形態では、顔料インクと画質向上液を混在させながら略同じタイミングで記録することにより、図６（ｅ）のように記録面に凹凸を形成し、高すぎる光沢度を抑制する。
【００５０】
高濃度領域のように、更に多くのドットが互いに重複して記録される場合には、顔料インクの色材や分散樹脂等の固形分量が多くなり、図６（ｃ）のように、全体に多くの凹凸が形成される。特に、異なる複数の顔料インクが重なった場合、このような凹凸はより顕著になる。よって、高濃度領域の光沢度は中濃度領域よりは下がる傾向がある。ただし、本発明者らの検討によればその光沢度は６０〜８０の範囲であり、好適な範囲である３０〜６０よりは上回っている。よって、高濃度領域についても光沢度を下げるためにある程度の画質向上液を付与する必要がある。
【００５１】
しかしながら、高濃度領域では図６（ｃ）に見るように既に多くの凹凸が形成されているため、中濃度と同じ方法で画質向上液を付与すると、写像性がさらに低下することが懸念される。よって、本実施形態では、図６（ｆ）のように、顔料インクが既に記録された上に画質向上液をオーバーコートする。これにより、写像性を維持しつつ、光沢度を好適な範囲に抑えることが出来るようになる。
【００５２】
以上説明したように、本実施形態においては、濃度領域ごとに適切な量の画質向上液を適切なタイミングで付与する。そのため、本実施形態では以下に説明するような特徴的な画像処理を実行する。
【００５３】
図７は、ホスト装置１１０とインクジェット記録装置２３において実行される、画像処理の工程を説明するためのブロック図である。ホスト装置１１０は、例えばパーソナルコンピュータ（ＰＣ）であり、アプリケーションＪ０１とプリンタドライバＪ１１を含んでいる。アプリケーションＪ０１は、ホスト装置１１０のモニタおけるＵＩ画面にてユーザが指定した情報に基づいて、プリンタドライバ１１に渡す画像データを作成する処理および、記録の制御を司る記録制御情報を設定する処理を実行する。アプリケーションＪ０１がプリンタドライバＪ１１に提供する画像データ情報及び記録制御情報は、「記録媒体情報」、「画像情報」、「記録品位情報」、および給紙方法等のような「その他制御情報」から構成される。記録媒体情報には、記録の対象となる記録媒体の種類が含まれ、普通紙、光沢紙、はがき、プリンタブルディスクなどのうち、いずれか１種類の記録媒体が指定されている。「画像情報」とは、「カラーモード」または「モノクロモード」のような、画像の特徴を示す情報である。記録品位情報には、記録の品位が指定されており、「きれい」、「標準」、「はやい」等のうち、いずれか１種の品位が指定されている。
【００５４】
プリンタドライバＪ１１はその処理として、前段処理Ｊ０２、後段処理Ｊ０３、γ補正Ｊ０４（Ｊ０４ａとＪ０４ｂ）、量子化Ｊ０５（Ｊ０５ａとＪ０５ｂ）を有する。以下に、各処理を簡単に説明する。
【００５５】
前段処理部Ｊ０２は色域（Ｇａｍｕｔ）のマッピングを行う。この処理は、ｓＲＧＢ規格の入力画像データ（Ｒ、Ｇ、Ｂ）によって再現される色域を、本実施形態のインクジェット記録装置によって再現可能な色域内に写像するためのデータ変換を行う。具体的には、Ｒ、Ｇ、Ｂのそれぞれが８ビットで表現された２５６階調のデータを、３次元のＬＵＴ（ルックアップテーブル）を用いることにより、色域が異なるそれぞれ８ビットＲ、Ｇ、Ｂデータ（ＲＧＢ値）に変換する。
【００５６】
後段処理部Ｊ０３は、後段処理用の３次元ＬＵＴに基づいて、上記色域のマッピングがなされたＲ、Ｇ、Ｂデータを、このデータが表す色を再現する有色インクと画質向上液の組み合わせの多値の色データ（各色２５６階調８ビットのデータ）に変換する。本実施形態では、Ｒ、Ｇ、Ｂデータに基づいて、６種類の有色インクＣ、Ｍ、Ｙ、Ｋ、ＬＣ、ＬＭのそれぞれに対応する６つの多値データのほか、画質向上液に対応する第１の多値データＣＬ１と第２の多値データＣＬ２を生成する。ここで、第１の多値データＣＬ１は、図６（ｅ）で説明したように、有色インクと略同じタイミングで記録される画質向上液のための多値データである。また、第２の多値データＣＬ２は、図６（ｆ）で説明したように、有色インクを記録した後に記録される画質向上液のための多値データである。そして、有色インク用の６つの多値データと画質向上液用の第１の多値データＣＬ１はγ補正部Ｊ０４ａに送信され、画質向上液用の第２の多値データＣＬ２はγ補正部Ｊ０４ｂに送信される。
【００５７】
図８は、本実施形態の後段処理部Ｊ０３で実行する信号値変換の例を説明する図である。横軸は、（Ｒ、Ｇ、Ｂ）＝（２５５、２５５、２５５）であるホワイト（白）から（Ｒ、Ｇ、Ｂ）＝（０、２５５、２５５）であるシアンを経て（Ｒ、Ｇ、Ｂ）＝（０、０、０）であるブラック（黒）へ向かうシアンラインの入力信号値を示している。縦軸は、個々の入力信号値に対応するＣ（シアン）、Ｋ（ブラック）、ＣＬ１（画像向上液の第１の多値データ）、ＣＬ２（画像向上液の第２多値データ）夫々の出力信号値を示している。
【００５８】
シアンラインにおいて、シアンインク用の出力信号Ｃは、０から徐々に増加し、シアン（０、２５５、２５５）でピークとなり、更にブラックに向けて徐々に減少し、ブラックで０となる。一方、ブラックインクの出力信号Ｋは、シアン（０、２５５、２５５）までは０で、これを過ぎた辺りから徐々に増加し、ブラックでＭＡＸとなる。このように、シアンＣおよびブラックＫ夫々の出力信号値や総和および割合は、入力信号値に応じて変化する。そして、出力信号値は単位領域あたりのインクの付与量に相関するので、有色インクによって表現される記録面の光沢度や写像性も、入力信号値に応じて変化する。
【００５９】
そこで本実施形態では、有色インクと同じタイミングで記録される画像向上液の第１の多値データＣＬ１と、有色インクよりも後で記録される画像向上液の第２多値データＣＬ２を、有色信号の出力値に応じて調整し光沢度や写像性を図６で説明したように制御する。そのため、図８を参照するに、本実施形態では、相対的にドットの記録密度が低いハイライトから中濃度であるシアンにおいて、ＣＬ１（第１の多値データ）を主に使用する。そして、相対的にドットの記録密度が高いシアンからブラックにおいては、ＣＬ１を徐々に減少させながら最終的に０とし、この減少とともにＣＬ２（第２の多値データ）を徐々に増加している。すなわち、ハイライトからシアンにおいては、シアンインクと同じタイミングで画像向上液が付与され、図６（ｂ）あるいは図６（ｄ）のような記録状態を得る。一方、ブラックに近い領域においては、シアンインクとブラックインクが記録された後から画質向上液が付与され、図６（ｆ）のような記録状態を得る。いずれにしても、好適な範囲の光沢度および写像性が得られ、光沢むらを抑えることが可能となる。
【００６０】
なお、ここでは、ＣＬ１（第１の多値データ）が減少を開始するタイミング（信号値）とＫが０より大きくなるタイミングをほぼ等しくしているが、本実施形態はこのような信号値変換に限定されるものではない。よりハイライトに近いＫが０の領域であっても、紙面がインクで埋め尽くされてしまうような状態になる場合には、光沢度や写像性に応じて、ＣＬ１の信号値を下げ、ＣＬ２を０より大きくするようにしてもよい。
【００６１】
以上、図８ではシアンラインを例に説明しているが、このような調整は、全ての有色インクについて全ての階調で適正化することが出来る。この場合、個々の入力信号値（Ｒ，Ｇ，Ｂ）から変換される多値データ（Ｃ，Ｍ，Ｙ，Ｋ，ＬＣ，ＬＭ）に適したＣＬ１とＣＬ２が、後段処理部Ｊ０３が参照する３次元ＬＵＴにおいて対応付けられていればよい。尚、前段処理、後段処理共に、テーブルの格子点に適応しないデータは、補間演算を併用して変換を行ってもよい。
【００６２】
γ補正部Ｊ０４ａおよびＪ０４ｂは、各色の多値データについて、濃度値（階調値）変換を行う。具体的には、１次元ＬＵＴを用いて、８ビットの多値の色データを、プリンタの階調特性に線形的に対応づけられるように１２ビットの多値データ（４０９６値）に変換する。
【００６３】
量子化部Ｊ０５ａおよびＪ０５ｂは、γ補正がなされた各色１２ビットの多値の色データに対して、誤差拡散等の擬似中間調処理（ハーフトーニング処理）を行って、４０９６値よりも少ないＮ値のデータに変換する。具体的には、Ｎ＝３〜１６値程度の各色２〜４ビットの多値のハーフトーニングを行う。本実施形態では４ビット５値データに変換する場合を例に以下の説明を続ける。なお、本発明において多値に量子化する処理は必ずしも必要ではなく、この段階で２値量子化処理を行う形態であっても構わない。
【００６４】
なお、以上説明した前段処理部Ｊ０２〜量子化処理部Ｊ０５における画像処理は、全て６００ｐｐｉ（ピクセル／インチ）の解像度で行われる。これは、記録ヘッド１がドットを記録する解像度（１２００ｄｐｉ）の半分に相当する。上述した記録制御情報および量子化処理部Ｊ０５ａおよびＪ０５ｂによって作成された５値データは、記録制御情報とともに記録装置２１０へ出力される。
【００６５】
ホスト装置１１０から受信した量子化処理後の５値データは、インクの種類ごとにプリントバッファＪ０６ａまたはＪ０６ｂに格納される。
【００６６】
ドット配置パターン化処理部Ｊ０７ａおよびＪ０７ｂでは、入力された６００ｄｐｉの５値データをドットの記録あるいは非記録の２値で示された１２００ｄｐｉのドット配置パターンに変換する。
【００６７】
図９は、ドット配置パターンの一例を示す図である。ここでは、本実施形態において、入力される５値データは０〜４のいずれかであり、ドット配置パターン化処理部Ｊ０７ａおよびＪ０７ｂは、図１０のような予め格納されているドットパターンの中から、レベル値に応じたドット配置パターンを１つ選択する。ドット配置パターンにおいて、個々の四角は１２００ｄｐｉの１画素領域を示し、黒く示した領域がドットを記録する画素、白く示した領域がドットを記録しない画素をそれぞれ示している。このようなドットパターン化処理部Ｊ０７ａおよびＪ０７ｂによって、多値の色データは２値の色データに、第１の多値データは第１の２値データに、第２の多値データは第２の２値データに、それぞれ変換される。
【００６８】
続くマスク処理部Ｊ０８ａおよびＪ０８ｂでは、互いに補完の関係にあるマスクパターンを用い、ドット配置パターン化処理Ｊ０７ａおよびＪ０７ｂによって記録が決定した画素それぞれについて、実際に記録を行う走査を決定する。
【００６９】
図１０（ａ）および（ｂ）は一般的なマルチパス記録方法を説明するための図である。マルチパス記録では、記録ヘッドが１回の記録走査で記録可能な領域を複数回の記録走査に分割して記録する。ここでは、４パスのマルチパス記録を行う場合を例に説明する。４パスのマルチパス記録の場合、ノズル列に含まれる７６８個のノズルは１９２ノズルずつの４つのブロックに分割され、個々のブロックには異なるマスクパターンＡ〜Ｄが宛がわれる。これらマスクパターンにおいて、黒く示した領域がドットの記録を許容する記録許容画素、白く示した領域がドットの記録を許容しない記録非許容画素を示し、マスクパターンＡ〜Ｄは互いに排他且つ補完の関係を有している。図では、マスクパターンＡ〜Ｄ夫々の記録許容画素の比率は均等に２５％である場合を示している。
【００７０】
図１０（ｂ）は同図（ａ）で示したマスクパターンを用いて４パスのマルチパス記録を行う状態を説明する図である。４パスのマルチパス記録の場合、記録走査が１回行われるたびに記録媒体は１ブロック分すなわち１９２画素分ずつＹ方向に搬送される。これにより、１ブロック分の幅に相当する記録媒体の画像領域は、４回の記録走査によって１００％の画像が完成される仕組みになっている。
【００７１】
図７のマスク処理部Ｊ０８ａおよびＪ０８ｂでは、このように予め用意されたマスクパターンと、ドットパターン処理部Ｊ０７ａあるいはＪ０７ｂから出力された２値データの間で論理席演算を行い、各記録走査で実際にドットを記録する画素を決定する。
【００７２】
ところで、以上説明したマルチパス記録では、用意するマスクパターンに特徴を持たせることによって、様々な記録制御を行うことが出来る。そこで、本実施形態では、ＣＬ１およびＣＬ２を記録するタイミングを互いに異ならせるために、マスク処理部Ｊ０８ａおよびＪ０８ｂでは、以下に説明するような特徴的なマスクパターンを使用する。
【００７３】
図１１（ａ）および（ｂ）は、マスク処理部Ｊ０８ａおよびＪ０８ｂで使用するマスクパターンをそれぞれ示した図である。図１１（ａ）は、マスク処理部Ｊ０８ａで使用する、６色の有色インクとＣＬ１のためのマスクパターンである。第１ブロックおよび第２ブロックには互いに補完関係にある記録許容率が５０％のマスクパターンが宛がわれ、第３ブロックおよび第４ブロックの記録許容率は０％となっている。一方、図１１（ｂ）は、マスク処理部Ｊ０８ｂで使用する、ＣＬ２のためのマスクパターンである。第１ブロックおよび第２ブロックの記録許容率は０％であり、第３ブロックおよび第４ブロックには互いに補完関係にある記録許容率が５０％のマスクパターンが宛がわれている。
【００７４】
図１２（ａ）および（ｂ）は、図１１（ａ）および（ｂ）で示したマスクパターンを用いて４パスのマルチパス記録を行った場合の、それぞれの記録状態を示す図である。１ブロック分に相当する記録媒体の同一画像領域は、１パス目と２パス目において図１１（ａ）で示したマスクパターンによる記録が完了し、その後の３パス目と４パス目で図１１（ｂ）に示したマスクパターンによる記録が行われる。すなわち、１パス目と２パス目で有色インクおよび画質向上液のＣＬ１データの記録が完了し、その後の３パス目と４パス目で画質向上液のＣＬ２データが記録される。
【００７５】
マスク処理部Ｊ０８ａで生成された記録データのうち、有色インクの２値データは、有色インク用のノズル列Ｊ１０ａへ送られるが、画質向上液の記録データは合成部Ｊ０９ａに送られる。合成部Ｊ０９ａでは、マスク処理部Ｊ０８ａから出力された画質向上液用の２値データ即ちＣＬ１から変換された２値データＣＬ１´と、マスク処理部Ｊ０８ｂから出力された画質向上液用の２値データ即ちＣＬ２から変換された２値データＣＬ２´を合成する。
【００７６】
この際、マスク処理部Ｊ０８ａで使用するマスクパターンとマスク処理部Ｊ０８ａで使用するマスクパターンは、図１１（ａ）および（ｂ）で示したように、完全に排他の関係にある。よって、これらマスクパターンを用いて処理された後の２値データＣＬ１´およびＣＬ２´も互いに排他の関係にあり、記録「１」となる画素位置が重なることもない。従って、合成部Ｊ０９は、２つの２値データＣＬ１´およびＣＬ２´の間で論理和演算を行うことにより、画質向上液のノズル列のための２値記録データを生成することが出来る。その結果は、画質向上液用のノズル列Ｊ１０ｂへ送信される。
【００７７】
図１３は、以上説明した画像処理の結果、個々のノズル列において実際に記録に使用されるノズル領域を説明する図である。有色インクを吐出するノズル列は、図１１（ｂ）のマスクパターンを使用するので、実際に吐出動作を行うノズル領域は下半分の２ブロック分（３８４ノズル分）である。一方、画質向上液用のノズル列は、図１１（ａ）および（ｂ）の両方のマスクパターンの論理和を使用するので、全ノズル領域（７６８ノズル）を用いて吐出動作を行うことになる。この際、下半分の領域は第１の多値データＣＬ１から変換された２値データＣＬ１´に基づく吐出動作が行われ、画質向上液は有色インクと同じタイミングで記録媒体に付与される。一方、上半分の領域は第２の多値データＣＬ２から変換された２値データＣＬ２´に基づく吐出動作が行われ、既に記録されている有色インクや画質向上液の層上から、画質向上液を付与することになる。
【００７８】
図１４（ａ）および（ｂ）は、本実施形態の信号値変換および記録動作を行った場合の、光沢度および写像性を説明するための図である。両図において横軸は図８と同じシアンラインの信号値を示す。また、破線は画質向上液を使用しないで記録した場合の光沢度および写像性を、実線は上述した方法で画質向上液を記録した場合の光沢度および写像性をそれぞれ示している。
【００７９】
有色インクのみを使用した場合、ホワイトからのハイライト部において、写像性は目標範囲内であるが、光沢度は目標範囲を下回っている。これは図６（ａ）で説明したように、記録されるドットが疎らで、記録面の光沢性が記録媒体そのものの光沢性に依存するからである。これに対し、本実施形態の方法で画質向上液を記録した場合、図６（ｄ）のように白紙領域の所々に画質向上液が記録されるので、光沢度は目標範囲内まで上昇している。また、写像性についても目標範囲内を維持している。
【００８０】
中濃度領域においては、有色インクのみを記録した場合、写像性は目標範囲内であるが、光沢度は目標範囲を大きく超えてしまっている。これは、図６（ｂ）で説明したように、記録媒体の表面が、広がった顔料インクによって略埋め尽くされ、顔料インクそのものの高い光沢度が現れるからである。これに対し、本実施形態の方法で画質向上液を使用した場合、図６（ｅ）のように適度な凹凸が形成されるので、光沢度は目標範囲内に収まっている。また、写像性については、その値は下がるものの目標範囲内を維持している。
【００８１】
高濃度領域においては、有色インクのみを使用した場合、写像性は目標範囲内ではあるがハイライト部や中濃度領域に比べるとかなり低くなっている。これは、図６（ｃ）で説明したように、顔料インクの色材や分散樹脂等の固形分量が多くなるため、全体に多くの凹凸が形成されるからである。そして、光沢度については目標範囲を超えてしまっている。これに対し、本実施形態では、図６（ｆ）のように画質向上液を顔料インクの層上からにオーバーコートしている。よって、必要以上の凹凸を形成して写像性を更に低下させることなく、光沢度を目標の範囲まで下げている。
【００８２】
図１５は、図１４（ａ）および（ｂ）で説明した効果を、図６（ａ）〜（ｆ）の記録状態に対応させながら示した図である。顔料インクのみで記録した記録状態（ａ）〜（ｃ）では濃度領域によって光沢度がばらついているが、本実施形態のように画質向上液を追加で記録した記録状態（ｄ）〜（ｆ）では、いずれの濃度領域も光沢度が中程度（３０〜６０）に揃っている。その一方で、写像性は目標範囲（中程度）に維持されている。このように、本実施形態によれば、写像性と光沢度の双方を鑑みた光沢性において、濃度領域ごとの光沢性のばらつきを抑え、光沢むらを回避することが出来る。
【００８３】
なお、本実施形態の後段処理部Ｊ０３において、図８で説明したようなＣＬ１やＣＬ２の生成は、シアンラインに限らず全てのＲＧＢ空間で行うことが出来る。すなわち、本実施形態によれば、全ての有色インクの全ての階調について、適量の画像向上液を適切なタイミングで付与することが出来、その結果、全色空間において色相ごとの光沢性を目標範囲内に収束させ、画像全体の光沢性を一様にすることが可能となる。
【００８４】
以上説明したように、本実施形態によれば、後段処理部Ｊ０３において各有色インクに対応する多値データを生成する際に、これら多値データの値に応じた画像向上液のための第１の多値データと第２の多値データを生成する。そして、これら２つの多値データを量子化した後に、異なるマスクパターンを用いてマルチパス記録を行うことにより、画像向上液を記録するタイミングや量を適切に調整することが出来る。その結果、階調や色相によらず全ての色域で光沢むらのない一様な画像を得ることが出来る。
【００８５】
（第２実施形態）
本実施形態においても、図１〜図４で説明したインクジェット記録装置を用い、図７で説明したブロック図に従って画像処理を行うものとする。但し、本実施形態では、６パスのマルチパス記録によって画像を記録する。
【００８６】
図１６（ａ）および（ｂ）は、本実施形態のマスク処理部Ｊ０８で使用するマスクパターンを示す図である。図１６（ａ）がマスク処理部Ｊ０８ａで使用する、６色の有色インクとＣＬ１のためのマスクパターンで、同図（ｂ）がマスク処理部Ｊ０８ｂで使用する、ＣＬ２のためのマスクパターンである。６パスのマルチパス記録の場合、ノズル列に含まれる７６８個のノズルは１２８ノズルずつの６つのブロックに分割され、各ブロックに対し互いに補完の関係にあるマスクパターンが宛がわれる。図１６（ａ）を参照するに、有色インクとＣＬ１については、第１〜第４ブロックにおいて互いに補完関係にある記録許容率が２５％のマスクパターンが宛がわれ、第５ブロックおよび第６ブロックの記録許容率は０％となっている。また、図１６（ｂ）を参照するに、ＣＬ２については、第１〜第４ブロックの記録許容率は０％で、第５ブロックおよび第６ブロックは互いに補完関係にある記録許容率が５０％のマスクパターンが宛がわれている。
【００８７】
図１７は、上記マスクパターンを用いてマスク処理を行った結果、個々のノズル列において実際に記録に使用されるノズル領域を示す図である。有色インクのノズル列は、図１６（ａ）のマスクパターンを使用するので、実際に吐出動作を行うノズル領域は下から４ブロック分（５１２ノズル分）である。一方、画質向上液用のノズル列は、図１６（ａ）および（ｂ）の両方のマスクパターンの論理和を使用するので、実際には全ノズル領域（７６８ノズル）を用いて吐出動作を行うことになる。この際、下から４ブロックの領域は第１の多値データＣＬ１から変換された２値データＣＬ１´に基づく吐出動作が行われ、画質向上液は有色インクと同じタイミングで記録媒体に付与される。一方、上から２ブロック分の領域は第２の多値データＣＬ２から変換された２値データＣＬ２´に基づく吐出動作が行われ、既に記録されている有色インクや画質向上液の層上から、画質向上液を付与することになる。
【００８８】
このような本実施形態によれば、有色インクと画質向上液のＣＬ１データは、７６８ノズルによって、４パスのマルチパス記録で記録されることになる。一方、画質向上液のＣＬ２データは、２５６ノズルによって、２パスのマルチパス記録で記録されることになる。一般にマルチパス記録とは、有色インクで記録される画像のすじやむらを低減するための記録方法であり、その効果はマルチパス数（同一画像領域に対する記録走査の回数）が多いほど高いと言える。しかしその一方で、マルチパス数が多いほど記録に関わる時間が多くなりスループットが低下するという難点もある。よって、有色インクと画質向上液の両方を用いてマルチパス記録を行う場合には、有色インクのマルチパス数をなるべく多くしながらも、すじやむらなどの画像問題が現れにくい画質向上液のマルチパス数はなるべく少なく抑えることが好ましい。このような観点から、本実施形態では、図１６（ａ）および（ｂ）のようなマスクパターンを用いることにより、ＣＬ２のマルチパス数は２パスのままとしながら、有色インクおよびＣＬ１のマルチパス数を４パスに増やしている。これにより、第１の実施形態よりも、有色インクの画像品位をより向上させることが可能となる。
【００８９】
（第３実施形態）
本実施形態においても、図１〜図４で説明したインクジェット記録装置を用い、図７で説明したブロック図に従って画像処理を行う。但し、本実施形態では、光沢紙ではなく半光沢紙に記録を行う場合について説明する。
【００９０】
半光沢紙の場合、もともとの光沢度すなわち白紙領域の光沢度は光沢紙よりも低いが、顔料インクを付与した領域と白紙領域の光沢度の差は然程大きくなく、光沢むらはむしろ目立たない場合が多い。このような場合には、実画像には寄与しない画質向上液の消費量はなるべく抑えることが好ましく、本実施形態では、後段処理部における信号値変換において、光沢紙とは異なるテーブルを用意する。
【００９１】
図１８（ａ）および（ｂ）は、本実施形態の後段処理部Ｊ０３で実行する信号値変換と、当該信号値変換を行った場合の、光沢度の変位を説明するための図である。横軸は、図８や図１４（ａ）と同様のシアンラインの信号値を示している。半光沢紙の場合、有色インクのみで記録を行っても、図１８（ｂ）の破線に示すように、光沢度は目標範囲から大きく外れることはない。特に、光沢紙では目標範囲を大きく超えてしまっていた中濃度において、半光沢紙では目標の範囲に収まっている。そのため、本実施形態では図１８（ａ）に示すように、ハイライト部の光沢度をアップさせるＣＬ１と、高濃度部の光沢度を抑えるＣＬ２は生成するが、光沢むらが目標範囲にある中濃度領域では、画質向上液のための信号値は０に抑えるような信号値変換を行う。このような最小限の画質向上液の付与により、図１８（ｂ）に示すように、いずれの濃度領域も光沢度を目標範囲に抑えることが可能となる。
【００９２】
なお、入力信号値（Ｒ，Ｇ，Ｂ）から変換される多値データ（Ｃ，Ｍ，Ｙ，Ｋ，ＬＣ，ＬＭ）およびＣＬ１、ＣＬ２の値は、記録媒体の種類などによっても異なるのが一般である。よって、ホスト装置１１０の格納部には、後段処理用ＬＵＴが複数格納されており、記録制御情報の記録媒体の種類や画像情報に基づいて適切なテーブルが選択されるようになっている。そして、上述したような画質向上液の適量化は、光沢紙、半光沢紙のみならず全ての記録媒体に対して行うことが好ましい。この場合、例えば元々光沢を有さない普通紙やマット紙については、ＣＬ１やＣＬ２を生成せず画質向上液を全く付与しないようにすることも出来る。
【００９３】
（第４実施形態）
上記実施形態では、光沢むらを抑制するために、主に４パスや６パスのマルチパス記録によって有色インクと画質向上液の両方を記録する構成で説明した。しかしながら、有色インクを使用する記録走査の後で画質向上液を記録する記録走査を設けることは、光沢むらは低減できるものの、記録時間は余計にかかってしまう。そこで、本実施形態においては、同じ光沢紙を対象としながらも、光沢むらの低減を優先する光沢均一性重視モード（第１のモード）と、記録速度を重視する速度重視モード（第２のモード）を用意し、用途に応じてユーザが選択可能な構成とする。
【００９４】
本実施形態においても、図１〜図４で説明したインクジェット記録装置を用い、図７で説明したブロック図に従って画像処理を行う。そして、光沢均一性重視モードが選択された場合は、第１の実施形態と同様の方法によって画像を出力する。一方、速度重視モードが選択された場合は、上記実施形態とは異なる方法で画像を記録する。
【００９５】
図１９（ａ）および（ｂ）は、速度重視モードが選択された場合の後段処理部Ｊ０３で実行する信号値変換と、当該信号値変換を行った場合の、光沢度の変位を示す図である。図１９（ａ）を参照するに、本実施形態では有色インクと同じ走査で記録するためのＣＬ１データのみを生成し、ＣＬ２データは生成しない。そして、本実施形態では、有色インクについても画質向上液についても、２パスのマルチパス記録を採用する。
【００９６】
図２０（ａ）および（ｂ）は、本実施形態の速度重視モードで使用するマスクパターンと、実際に記録に使用されるノズル領域を示す図である。２パスのマルチパス記録の場合、ノズル列に含まれる７６８個のノズルは３８４ノズルずつの２つのブロックに分割され、各ブロックに対し互いに補完の関係にある記録許容比率が５０％のマスクパターンが宛がわれる。本実施形態においては、有色インクの記録が完了した後に画質向上液を付与するための記録走査を用意する必要がないので、有色インクのノズル列に含まれる全てのノズルを記録動作に使用することが出来る。その結果、光沢均一性重視モードに比べて短時間に記録を完了することが出来る。
【００９７】
但し、本実施形態の速度重視モードでは、図６（ｆ）で説明したように有色インク層を画質向上液がオーバーコートすることが無いので、図１９（ｂ）に示すように、高濃度では光沢度が目標範囲を超えてしまう領域が生じる。
【００９８】
このように、本実施形態においては、記録時間はかかるものの全色域で光沢むらが抑えられた光沢均一性重視モードと、高濃度では光沢度が目標範囲を超えてしまうものの短時間に出力可能な高速モードの２つのモードを用意する。これにより、ユーザは出力物の用途や自身の都合によって好みのモードを選択し、所望の記録物を得ることが出来る。
【００９９】
（第５実施形態）
図２１は、本実施形態で使用する記録ヘッドのノズル列の配列構成および実際に記録に使用されるノズル領域を示す図である。本実施形態では、画質向上液のノズル列を有色インクよりも長くし、有色インクのノズル列よりはみ出した領域を用いて、ＣＬ２のための記録走査を行う。図では、有色インクのノズル列が７６８ノズル、画質向上液のノズル列が１０２４ノズルを有し、有色インクとＣＬ１データは６パスのマルチパス記録で、ＣＬ２データは２パスのマルチパス記録で記録する場合を示している。
【０１００】
上述した実施形態では、図２のように画質向上液のノズル列と有色インクのノズル列の長さが等しかったため、有色インクの全ノズルを記録に使用することが出来なかった。しかし本実施形態のように画質向上液のためのノズル列が予め長く構成されていれば、有色インクの全ノズルを記録に使用することが可能となる。その結果、画質向上液を使用するモードと使用しないモードを併せ持つ場合であっても、有色インクのノズル列において記録使用領域がモードごとに変更されることはなく、有色インクの吐出状態を全ノズルで安定させることが出来る。
【０１０１】
（第６実施形態）
以上の実施形態では、光沢むらを抑制するために、無色透明の画質向上液を有色インクとは別に用意した。これに対し、本実施形態では、色材を含有する一部の有色インクに画質向上液の役割を持たせることを特徴とする。ここでは一例としてライトシアン（ＬＣ）インクを画質向上液として使用する場合を説明する。
【０１０２】
図２２は、本実施形態の後段処理部Ｊ０３で実行する信号値変換の例を説明する図である。横軸は上記実施形態と同様のシアンラインの信号値を示している。本実施形態では、シアンラインの階調を表現するために、シアンインク、ブラックインクのほか、ライトシアンインクも用いている。ライトシアンインクは、シアンインクよりも顔料濃度が低く、明度の高いインクとなっている。そのため、ホワイトからシアンの中濃度へ向かう階調において、ライトシアンはシアンよりもホワイトに近い領域から使用され、シアンの信号値が上昇するにつれて徐々に低くなっている。本実施形態ではこのような軌跡を有するライトシアンを、上述した画質向上液のＣＬ１データとして扱う。すなわち、図７を参照するに、本実施形態のＬＣ１データは、量子化処理部Ｊ０５ａで量子化処理し、Ｊ０８ａにてマスク処理され、他の有色インクと同じタイミングで記録される。
【０１０３】
一方、シアン単色領域からブラック領域へ向かう階調では、通常の色変換処理では明度の高いライトシアンは生成されないが、本実施形態では図６（ｆ）で説明したような画質向上液の作用を賄うために、所定のライトシアンデータＬＣ２を生成する。そして、このライトシアンデータＬＣ２については、図７を参照するに、量子化処理部Ｊ０５ｂで量子化処理し、Ｊ０８ｂにてマスク処理することにより、他の有色インクよりも遅れたタイミングの記録走査で記録媒体に記録する。
【０１０４】
このように、本実施形態においては、有色インクの一部であるライトシアンインクの多値データとして、他の有色インクと同時に記録するためのＬＣ１と、他の有色インクの後から記録するためのＬＣ２を生成する。そしてこれら２つの多値データを量子化した後に、異なるマスクパターンを用いてマルチパス記録を行うことにより、階調によらず光沢むらのない一様な画像を得ることが出来る。
【０１０５】
更に、このようなライトシアンのような役割は、マゼンタラインにおけるライトマゼンタや、グレーラインにおけるグレーインク、あるいはイエローインクなど、比較的に明度の高いインクであれば、夫々適切な色域で夫々担うことが出来る。その結果、無色透明な画質向上液を特に用意しなくても、全色域において光沢むらのない一様な画像を出力することが可能となる。
【０１０６】
なお、以上説明した実施形態では、図７のブロック図のように、量子化処理までをホスト装置が実行し、それ以降の処理を記録装置が行う場合について説明したが、本発明はこのような構成に限定されるものではない。例えば、ホスト装置が上述したような画像処理の全てを行ってから記録データのみを記録装置に送信する形態であっても良いし、逆に前段処理以降の全ての画像処理を記録装置が行う形態であっても構わない。また、上述したような一連の処理が実行されるシステムであれば、当該処理がハードウエアで行われても、ソフトウエアで行われても構わない。いずれにせよ、以上の実施形態で説明したような本発明の特徴的な後段処理と記録方法が行われるのであれば、そのシステム全体が本発明のインクジェット記録装置に該当する。
【０１０７】
また、本発明は、上述した画像処理の機能を実現するためのコンピュータ可読プログラムを構成するプログラムコード、またはそれを記憶した記憶媒体によっても実現される。この場合、ホスト装置や画像形成装置のコンピュータ（またはＣＰＵやＭＰＵ）が上記プログラムコードを読出し実行することによって上述した画像処理が実現されることになる。このように、上述した画像処理をコンピュータに実行させるための、コンピュータにより読み取り可能なプログラム、あるいは、そのプログラムを記憶した記憶媒体も本発明に含まれる。
【０１０８】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１０９】
また、コンピュータが読み出したプログラムコードを実行することにより、前述した実施形態の機能が実現されるだけでなく、そのプログラムコードの指示に基づき、コンピュータ上で稼動しているＯＳが実際の処理の一部または全部を行うものであってもよい。更に、プログラムコードが、コンピュータに挿入された機能拡張ボードやコンピュータに接続された機能拡張ユニットに備わるメモリに書き込まれた後、そのプログラムコードの指示に基づき、ＣＰＵなどが実際の処理の一部または全部を行うものであってもよい。
【符号の説明】
【０１１０】
１        記録ヘッド
５        キャリッジ
１１０        ホスト装置
２３        インクジェット記録装置
Ｊ０２        前段処理部
Ｊ０３        後段処理部
Ｊ０５        量子化処理部
Ｊ０７        ドットパターン化処理部
Ｊ０８        マスク処理部
Ｊ０９        合成部
Ｐ        記録媒体
【図１】
0005955088.tif 000002
【図２】
0005955088.tif 000003
【図３】
0005955088.tif 000004
【図４】
0005955088.tif 000005
【図５】
0005955088.tif 000006
【図６】
0005955088.tif 000007
【図７】
0005955088.tif 000008
【図８】
0005955088.tif 000009
【図９】
0005955088.tif 000010
【図１０】
0005955088.tif 000011
【図１１】
0005955088.tif 000012
【図１２】
0005955088.tif 000013
【図１３】
0005955088.tif 000014
【図１４】
0005955088.tif 000015
【図１５】
0005955088.tif 000016
【図１６】
0005955088.tif 000017
【図１７】
0005955088.tif 000018
【図１８】
0005955088.tif 000019
【図１９】
0005955088.tif 000020
【図２０】
0005955088.tif 000021
【図２１】
0005955088.tif 000022
【図２２】
0005955088.tif 000023